(57)【要約】【課題】事前にユーザによる設定が不要であり、エリアの移動や障害物などにより受信可能な放送周波数が変化した場合にも、容易にユーザ好みのラジオ選局を行う。【解決手段】受信可能な放送波から放送内容情報を検出し、放送周波数と関連付ける放送内容検出部２と、メディアがデバイスに挿入または接続された場合に、当該メディアに保存されているファイル情報を抽出するデバイス制御部４と、抽出されたファイル情報からファイル内容情報を検出するファイル情報検出部５と、ファイル情報検出部５により検出されたファイル内容情報を集計する集計部７と、集計されたファイル内容情報をファイル数が多い順に放送内容検出部２により検出された放送内容情報と比較して、当該ファイル内容情報と一致する放送内容情報に関連付けられた放送周波数を抽出するプリセットメモリ制御部９と、抽出された放送周波数を順に記憶するプリセットメモリ１０とを備えた。【選択図】図１
2012104996.tif 000002
【特許請求の範囲】
【請求項１】
音声情報と共に放送内容情報が多重化された放送波を受信するラジオ受信機において、
受信可能な放送波から放送内容情報を検出し、放送周波数と関連付ける放送内容検出部と、
メディアがデバイスに挿入または接続された場合に、当該メディアに保存されているファイル情報を抽出するデバイス制御部と、
前記デバイス制御部により抽出されたファイル情報からファイル内容情報を検出するファイル情報検出部と、
前記ファイル情報検出部により検出されたファイル内容情報を集計する集計部と、
前記集計部により集計されたファイル内容情報をファイル数が多い順に前記放送内容検出部により検出された放送内容情報と比較して、当該ファイル内容情報と一致する放送内容情報に関連付けられた放送周波数を抽出するプリセットメモリ制御部と、
前記プリセットメモリ制御部により抽出された放送周波数を順に記憶するプリセットメモリと、
を備えたラジオ受信機。
【請求項２】
集計部は、メディアがデバイスに挿入または接続される度に新規に集計を行う
ことを特徴とする請求項１記載のラジオ受信機。
【請求項３】
集計部により集計されたファイル内容情報を記憶する集計情報メモリをさらに備え、
前記集計部は、ファイル情報検出部により検出されたファイル内容情報を、前記集計情報メモリに記憶されている集計情報に蓄積して集計を行う
ことを特徴とする請求項１記載のラジオ受信機。
【請求項４】
集計情報メモリは、集計部により集計されたファイル内容情報を所定期間記憶する
ことを特徴とする請求項３記載のラジオ受信機。
【請求項５】
現在日時を取得する日時取得部をさらに備え、
デバイス制御部は、メディアに保存されているデータを再生した日時を記憶し、
ファイル情報検出部は、前記デバイス制御部に記憶されている再生日時が、前記日時取得部により取得された現在日時から所定期間内であるデータに対応するファイル情報から、ファイル内容情報を検出する
ことを特徴とする請求項１記載のラジオ受信機。
【請求項６】
ＩＤの選択を受け付ける操作部をさらに備え、
集計情報メモリは、集計部により集計されたファイル内容情報を、前記操作部により受け付けられたＩＤに関連付けて記憶し、
前記集計部は、ファイル情報検出部により検出されたファイル内容情報を、前記集計情報メモリに記憶されている、前記ＩＤに対応する集計情報に蓄積して集計を行う
ことを特徴とする請求項３記載のラジオ受信機。
【発明の詳細な説明】
【技術分野】
【０００１】
この発明は、音声情報と共に放送内容情報が多重化された放送波を受信するラジオ受信機に関するものである。
【背景技術】
【０００２】
従来のラジオ受信機では、好みの放送を速やかに受信する手段としてプリセットメモリ機能を利用している。このプリセットメモリ機能では、ユーザは事前に好みの放送周波数をプリセットメモリに記憶する。そして、ラジオ選局を行う際に、ユーザがプリセットメモリを操作することで、記憶させた放送周波数を呼出して選局を行っている。
【０００３】
一方、ＲＤＳ（Ｒａｄｉｏ  Ｄａｔａ  Ｓｙｓｔｅｍ）放送では、音声情報と共に放送内容情報が多重化された放送波を送信している。この放送内容情報には、放送内容を示すジャンルが含まれている。そこで、ＲＤＳ放送に対応したラジオ受信機において、ユーザに事前に好みのジャンルを設定させて選局を行うように構成したものがある（例えば特許文献１，２参照）。この特許文献１，２に開示されたラジオ受信機では、ユーザがラジオ選局を要求した際に、自動的に、予め設定したジャンルと一致する放送内容情報（ジャンル）に対応する放送周波数を呼出して選局を行っている。
【先行技術文献】
【特許文献】
【０００４】
【特許文献１】特開平１１−４１４３号公報
【特許文献２】特開平１０−１０７６６９号公報
【発明の概要】
【発明が解決しようとする課題】
【０００５】
しかしながら、車載用のラジオ受信機では、エリアの移動や障害物などにより呼出した放送周波数が受信可能ではない場合がある。この場合、従来の方法では、他の好みの放送を受信するために、実際の放送内容を確認しながら選局キー操作を何度か行う必要があるという課題がある。また受信可能な放送が多数ある場合には、その中から好みの放送を決定するまでに時間がかかってしまうという課題がある。また、従来の方法または特許文献１，２に開示される方法のいずれの場合においても、ユーザが事前に好みの放送周波数やジャンルを設定する必要があり、煩わしいという課題がある。
【０００６】
この発明は、上記のような課題を解決するためになされたもので、音声情報と共に放送内容情報が多重化された放送波を受信するラジオ受信機において、事前にユーザによる設定が不要であり、エリアの移動や障害物などにより受信可能な放送周波数が変化した場合にも、容易にユーザ好みのラジオ選局を行うことができるラジオ受信機を提供することを目的としている。
【課題を解決するための手段】
【０００７】
この発明に係るラジオ受信機は、受信可能な放送波から放送内容情報を検出し、放送周波数と関連付ける放送内容検出部と、メディアがデバイスに挿入または接続された場合に、当該メディアに保存されているファイル情報を抽出するデバイス制御部と、デバイス制御部により抽出されたファイル情報からファイル内容情報を検出するファイル情報検出部と、ファイル情報検出部により検出されたファイル内容情報を集計する集計部と、集計部により集計されたファイル内容情報をファイル数が多い順に放送内容検出部により検出された放送内容情報と比較して、当該ファイル内容情報と一致する放送内容情報に関連付けられた放送周波数を抽出するプリセットメモリ制御部と、プリセットメモリ制御部により抽出された放送周波数を順に記憶するプリセットメモリとを備えたものである。
【発明の効果】
【０００８】
この発明によれば、上記のように構成したので、音声情報と共に放送内容情報が多重化された放送波を受信するラジオ受信機において、事前にユーザによる設定が不要であり、エリアの移動や障害物などにより受信可能な放送周波数が変化した場合にも、容易にユーザ好みのラジオ選局を行うことができる。
【図面の簡単な説明】
【０００９】
【図１】この発明の実施の形態１に係るラジオ受信機の構成を示す図である。
【図２】この発明の実施の形態１における放送内容検出部により作成された放送内容データベースを示す図である。
【図３】この発明の実施の形態１におけるファイル情報検出部により作成された各メディアでのファイル内容データベースを示す図である。
【図４】この発明の実施の形態１における集計部により集計された集計情報を示す図である。
【図５】この発明の実施の形態１に係るラジオ受信機によるプリセットメモリ動作を示すフローチャートである。
【図６】この発明の実施の形態２に係るラジオ受信機の構成を示す図である。
【図７】この発明の実施の形態３における集計部により集計された集計情報を示す図である。
【発明を実施するための形態】
【００１０】
以下、この発明の実施の形態について図面を参照しながら詳細に説明する。
実施の形態１．
ラジオ受信機は、音声情報と共に放送内容情報が多重化された放送波を受信する車載用ラジオ受信機である。なお、音声信号と共に放送内容情報が多重化されて送信されるラジオ放送としては、例えばＲＤＳ放送、ＤＡＢ（Ｄｉｇｉｔａｌ  Ａｕｄｉｏ  Ｂｒｏａｄｃａｓｔ）放送、サテライト放送やＨＤＲａｄｉｏ放送等があり、本願はいずれの放送に対しても適用可能である。
このラジオ受信機は、図１に示すように、ラジオ放送受信部１、放送内容検出部２、放送内容メモリ３、複数のデバイス制御部４ａ〜４ｄ（以下、区別する必要がない場合にはデバイス制御部４と示す）、ファイル情報検出部５、操作部６、集計部７、集計情報メモリ８、プリセットメモリ制御部９、プリセットメモリ１０およびラジオ選局制御部１１から構成されている。
【００１１】
ラジオ放送受信部１は、常時または定期的に各放送周波数での現在の受信状態を監視するものである。ここで、ラジオ放送受信部１は、受信可能な放送周波数が存在すると判断した場合には、その旨を放送内容検出部２に通知する。また、ラジオ放送受信部１は、ラジオ選局制御部１１から、指定された放送周波数でのラジオ選局指示を受けた場合には、この放送周波数の放送波を受信する。
【００１２】
放送内容検出部２は、ラジオ放送受信部１により受信可能な放送周波数が存在すると判断された場合に、この放送周波数の放送波をアンテナ２０を介して受信し、この放送波に含まれる放送内容情報を検出するものである。放送内容情報には、放送内容を示すジャンルが含まれている。そして、放送内容検出部２は、検出した各放送内容情報に基づいて、図２に示すように、ジャンルと放送周波数とを関連付けした放送内容データベースを作成する。この放送内容検出部２により作成された放送内容データベースは放送内容メモリ３に出力される。
【００１３】
放送内容メモリ３は、放送内容検出部２により作成された放送内容データベースを記憶するものである。この放送内容メモリ３に記憶されている放送内容データベースはプリセットメモリ制御部９により抽出される。
【００１４】
デバイス制御部４は、対応するメディアがデバイス（不図示）に挿入または接続された場合に、そのメディアに保存されている複数のファイル情報を抽出するものである。このデバイス制御部４としては、例えばＣＤ（Ｃｏｍｐａｃｔ  Ｄｉｓｃ）やＤＶＤ（Ｄｉｇｉｔａｌ  Ｖｅｒｓａｔｉｌｅ  Ｄｉｓｃ）に対応したＣＤ／ＤＶＤデバイス制御部４ａ、ＵＳＢ（Ｕｎｉｖｅｒｓａｌ  Ｓｅｒｉａｌ  Ｂｕｓ）メモリやｉＰｏｄ（登録商標）に対応したＵＳＢ／ｉＰｏｄデバイス制御部４ｂ、ＳＤ（Ｓｅｃｕｒｅ  Ｄｉｇｉｔａｌ）メモリに対応したＳＤデバイス制御部４ｃやＨＤ（Ｈａｒｄ  Ｄｉｓｋ）に対応したＨＤＤ（Ｈａｒｄ  Ｄｉｓｋ  Ｄｒｉｖｅ）デバイス制御部４ｄ等がある。また、携帯電話に対応したデバイス制御部４を設けてもよい。このデバイス制御部４により抽出された各ファイル情報はファイル情報検出部５に出力される。
【００１５】
ファイル情報検出部５は、デバイス制御部４により抽出された各ファイル情報から、ファイル内容情報を検出するものである。ファイル内容情報には、ファイル内容を示すジャンルとファイル番号とが含まれている。そして、ファイル情報検出部５は、検出した各ファイル内容情報に基づいて、図３に示すように、ジャンルとファイル番号とを関連付けしたファイル内容データベースを作成する。なお図３では、メディアに音楽データが保存されており、ファイル情報検出部５がファイル内容情報として音楽のジャンルを検出した場合について示している。このファイル情報検出部５により作成されたファイル内容データベースは集計部７に出力される。
【００１６】
操作部６は、ユーザによる操作を受け付けるものである。この操作部６は、集計部７におけるジャンルの集計方法の選択を受け付ける。ここで、ユーザは、集計方法として、メディアが差し替えられる度に新規に集計を行うか（新規集計設定）、集計情報メモリ８に記憶されている過去の集計情報に蓄積して集計を行うか（蓄積設定）を選択する。この操作部６により受け付けられた集計方法を示す情報は集計部７および集計情報メモリ８に出力される。
また、操作部６は、ユーザによるラジオ選局の要求を受け付ける。この操作部６により受け付けられたラジオ選局要求を示す情報はラジオ選局制御部１１に出力される。
【００１７】
集計部７は、操作部６により受け付けられた集計方法に従い、ファイル情報検出部５により検出されたジャンルを集計するものである。
ここで、集計部７は、集計方法が新規集計設定の場合には、メディアがデバイスに挿入または接続される度に新規に集計を行う。すなわち、ファイル情報検出部５により新たに作成されたファイル内容データベースのみから同一ジャンルのファイル数をカウントして、図４に示すような集計情報を作成する。この集計部７により集計された集計情報はプリセットメモリ制御部９に出力される。
【００１８】
一方、集計部７は、集計方法が蓄積設定の場合には、ファイル情報検出部５により新たに検出されたジャンルを、集計情報メモリ８に記憶されている集計情報に蓄積して集計を行う。すなわち、集計情報メモリ８から抽出した集計情報と、ファイル情報検出部５により新たに作成されたファイル内容データベースとから同一ジャンルのファイル数をカウントして、図４に示すような集計情報を作成する。この集計部７により作成された集計情報は集計情報メモリ８およびプリセットメモリ制御部９に出力される。
【００１９】
集計情報メモリ８は、集計部７からの集計情報を記憶するものである。また、集計情報メモリ８は、集計方法が新規作成設定の場合には、記憶している集計情報を削除する。この集計情報メモリ８に記憶されている集計情報は集計部７により抽出される。
【００２０】
プリセットメモリ制御部９は、集計部７により集計された集計情報と放送内容メモリ３に記憶されている放送内容データベースとに基づいて、ユーザ好みの放送周波数を抽出するものである。ここで、プリセットメモリ制御部９は、集計情報内のジャンルをファイル数が多い順に放送内容データベース内のジャンルと比較して、ファイル内容情報（ジャンル）と一致する放送内容情報（ジャンル）に関連付けられた放送周波数を抽出する。このプリセットメモリ制御部９により抽出された放送周波数を示す情報はプリセットメモリ１０に出力される。
【００２１】
プリセットメモリ１０は、プリセットメモリ制御部９により抽出された放送周波数を順に上書き記憶するものである。
ラジオ選局制御部１１は、操作部６によりラジオ選局要求が受け付けられた際に、プリセットメモリ１０に記憶されている放送周波数情報を上位から呼出して、ラジオ放送受信部１にラジオ選局指示を行うものである。
【００２２】
次に、上記のように構成されたラジオ受信機において、ラジオ受信機のデバイスにメディアが挿入または接続された場合でのプリセットメモリ動作について説明する。
なお、放送内容検出部２では、ラジオ放送受信部１により受信可能と判断された放送波から放送内容を示すジャンルを検出して、図２に示すようなジャンルと放送周波数とを関連付けた放送内容データベースを作成して、放送内容メモリ３に蓄積している。
【００２３】
また、操作部６では、予め、ジャンルの集計方法の選択を受け付けている。ここで、例えばラジオ受信機を複数のユーザが使用する場合には、メディアが差し替えられるごとに新規に集計を行った方が現在使用中のユーザの好みを把握しやすい。また、例えばｉＰｏｄを用いた場合には、各曲のジャンルが異なることが想定されるため、１回の抽出でも十分にユーザの好みを把握することができる。そこで、このような場合には新規集計設定を選択する。一方、例えばＣＤを用いた場合には、各曲のジャンルが全て同一である場合が多いことが想定されるため、１枚のＣＤのみではユーザの好みを把握することは難しい。そこで、このような場合には蓄積設定を選択する。
【００２４】
ラジオ受信機によるプリセットメモリ動作では、図５に示すように、まず、デバイス制御部４は、対応するメディアがデバイスに挿入または接続された場合に、このメディアに保存されている複数のファイル情報を抽出する（ステップＳＴ５１）。このデバイス制御部４により抽出された各ファイル情報はファイル情報検出部５に出力される。
【００２５】
次いで、ファイル情報検出部５は、デバイス制御部４により抽出された各ファイル情報から、ジャンルおよびファイル番号を含むファイル内容情報を検出して、ファイル内容データベースを作成する（ステップＳＴ５２）。ここで、ファイル情報検出部５は、メディアに保存されている全ての曲のジャンルを検出する。このファイル情報検出部５により作成されたファイル内容データベースは集計部７に出力される。
【００２６】
次いで、集計部７は、操作部６により受け付けられた集計方法に従い、ファイル情報検出部５により検出されたジャンルを集計する（ステップＳＴ５３）。
ここで、集計部７は、集計方法が新規集計設定の場合には、ファイル情報検出部５により新たに作成されたファイル内容データベースのみから同一ジャンルのファイル数をカウントして、図４に示すような集計情報を作成する。これにより、現在、挿入または接続されているメディアに保存されている曲のジャンルのみを用いて、集計を行うことができる。この集計部７により集計された集計情報はプリセットメモリ制御部９に出力される。
【００２７】
一方、集計部７は、集計方法が蓄積設定の場合には、集計情報メモリ８から抽出した集計情報と、ファイル情報検出部５により新たに作成されたファイル内容データベースとから同一ジャンルのファイル数をカウントして、図４に示すような集計情報を作成する。これにより、過去から現在までの間に、挿入または接続されたメディアに保存されている曲のジャンルを用いて、集計を行うことができる。この集計部７により作成された集計情報は集計情報メモリ８およびプリセットメモリ制御部９に出力される。
【００２８】
次いで、プリセットメモリ制御部９は、集計部７により集計された集計情報と放送内容メモリ３に記憶されている放送内容データベースとに基づいて、ユーザ好みの放送周波数を抽出する（ステップＳＴ５４）。すなわち、プリセットメモリ制御部９は、集計情報内のジャンルをファイル数が多い順に放送内容データベース内のジャンルと比較して、ファイル内容情報（ジャンル）と一致する放送内容情報（ジャンル）に関連付けられた放送周波数を抽出する。
このように、ファイル数が多いジャンルから順に、すなわちユーザの好みであると推測されるジャンルから順に、放送内容データベース内のジャンルと照らし合わせを行うことで、ユーザの好みの順に放送周波数を抽出することができる。
このプリセットメモリ制御部９により抽出された放送周波数を示す情報はプリセットメモリ１０に出力される。
【００２９】
次いで、プリセットメモリ１０は、プリセットメモリ制御部９により抽出された放送周波数を順に上書き記憶する（ステップＳＴ５５）。
以上の処理により、ラジオ受信機に各種メディアが挿入または接続された場合に、自動的に、このメディアに保存されているファイル情報からジャンルを検出してユーザの好みを把握し、同一のジャンルを放送している放送周波数をユーザの好みの順にプリセットメモリ１０に記憶することができる。
【００３０】
その後、ラジオ選局制御部１１は、操作部６によりラジオ選局要求が受け付けられた際に、プリセットメモリ１０に記憶されている放送周波数情報を上位から呼出して、ラジオ放送受信部１にラジオ選局指示を行う。これにより、ラジオ選局を行う際に、自動的に、ユーザ好みの放送周波数を選局することができる。また、プリセットメモリ１０には、ユーザの好みの順に放送周波数が記憶されているため、他の放送周波数を選局する場合にも容易にラジオ選局を行うことができ、スムーズに好みの放送を聴くことが可能となる。
【００３１】
以上のように、この実施の形態１によれば、音声情報と共に放送内容情報が多重化された放送波を受信するラジオ受信機において、メディアがデバイスに挿入または接続された場合に、このメディアに保存されているファイル情報からジャンルを検出して、同一ジャンルの番組を放送する放送周波数を記憶するように構成したので、事前にユーザによる設定が不要であり、エリアの移動や障害物などにより受信可能な放送が変化した場合にも、容易にユーザ好みのラジオ選局を行うことができ、煩わしい操作が不要となる。
【００３２】
なお、実施の形態１における集計情報メモリ８は集計情報を所定期間だけ記憶するように構成してもよい。これにより、古い集計情報を削除することができるため、ユーザの好みの変化に柔軟に対応することが可能となる。
【００３３】
また、実施の形態１では、ラジオ受信を行っていない状態で、デバイスにメディアが挿入または接続された場合でのプリセットメモリ動作について説明したが、ラジオ受信中にメディアが挿入または接続され、プリセットメモリ１０内の放送周波数が変化した場合に、ラジオ選局制御部１１にてラジオ選局の変更指示を行うように構成してもよい。
【００３４】
実施の形態２．
実施の形態１では、ファイル情報検出部５において、メディアに保存されている全ての曲のジャンルを抽出する場合について示したが、実施の形態２では、最近再生した曲のジャンルのみを抽出する場合について示す。なお、図６に示す実施の形態２に係るラジオ受信機は、図１に示す実施の形態１に係るラジオ受信機に日時取得部１２を追加したものであり、その他の構成は同様である。
【００３５】
日時取得部１２は、現在日時を取得するものである。この日時取得部１２により取得された現在日時を示す情報はファイル情報検出部５に出力される。
また、デバイス制御部４は、実施の形態１における機能に加えて、メディアがデバイスに挿入または接続され、このメディアに保存されているデータ（曲）が再生された場合に、その日時を記憶する。
また、ファイル情報検出部５は、デバイス制御部４に記憶されている再生日時が、日時取得部１２により取得された現在日時から所定期間内である曲に対応するファイル情報のみから、ファイル内容情報を検出する。
【００３６】
以上のように、実施の形態２によれば、メディアに保存されている曲が再生された日時を記憶し、この再生日時が現在日時から所定期間内であるファイル情報のみを検出対象とするように構成したので、実施の形態１における効果に加えて、メディアに保存されてはいるが再生されていない曲、すなわち、ユーザの好みではないと推測されるジャンルを対象外とすることができ、ユーザの好みをより正確に把握することが可能となる。
【００３７】
実施の形態３．
実施の形態１では、集計情報を１つ作成する場合について示したが、実施の形態３では、ラジオ受信機を複数人のユーザが使用する場合に、各ユーザに対応した集計情報を複数保持するものについて示す。なお、実施の形態３に係るラジオ受信機は、図１に示す実施の形態１に係るラジオ受信機と同様の構成である。
【００３８】
ここで、操作部６は、実施の形態１における機能に加えて、ユーザによるＩＤの選択を受け付ける。なお、集計方法は蓄積設定が選択されているものとする。
また、集計情報メモリ８は、図７に示すように、集計部７により集計された情報を、操作部６により選択されたＩＤに関連付けて記憶する。これにより、各ユーザに対応した集計情報を複数保持することができる。
また、集計部７は、ファイル情報検出部５により検出された情報を、集計情報メモリ７に記憶されている、操作部６により選択されたＩＤに対応する集計情報に蓄積して集計を行う。
【００３９】
以上のように、実施の形態３によれば、集計情報を各ユーザのＩＤに対応付けて記憶するように構成したので、実施の形態１における効果に加えて、複数のユーザの好みに応じたプリセットメモリ動作を行うことが可能となる。
【００４０】
なお、実施の形態１−３では、放送内容情報およびファイル内容情報としてジャンルを用いた場合について説明したが、これに限るものではなく、例えばアーティスト名や曲名等を用いても良い。
また、実施の形態１−３では、音声データが保存されているメディアが挿入または接続される場合について説明したが、例えば映像データが保存されているメディアが挿入または接続される場合にも同様に適用可能であり、このメディアから映画に関する情報（タイトル名、出演者等）を検出するように構成してもよい。
【００４１】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００４２】
１  ラジオ放送受信部、２  放送内容検出部、３  放送内容メモリ、４，４ａ〜４ｄ  デバイス制御部、５  ファイル情報検出部、６  操作部、７  集計部、８  集計情報メモリ、９  プリセットメモリ制御部、１０  プリセットメモリ、１１  ラジオ選局制御部、１２  日時取得部。
【図１】
2012104996.tif 000003
【図２】
2012104996.tif 000004
【図３】
2012104996.tif 000005
【図４】
2012104996.tif 000006
【図５】
2012104996.tif 000007
【図６】
2012104996.tif 000008
【図７】
2012104996.tif 000009